(57)【要約】【課題】撮影効率および操作性を向上する。【解決手段】複数のスキャンを、順次、時間間隔を隔てて実行するダイナミックスキャンをダイナミックスキャン開始部２５１が開始させる。そして、ダイナミックスキャン開始部２５１により開始されたダイナミックスキャンをダイナミックスキャン中断部２５２が中断させ、ダイナミックスキャン中断部２５２により中断されたダイナミックスキャンをダイナミックスキャン再開部２５３が再開させる。【選択図】図２
2006325967.tif 000002
【特許請求の範囲】
【請求項１】
静磁場空間内の被検体に電磁波を照射し、前記被検体からの磁気共鳴信号を得るスキャンを実施し、前記スキャンにより得られた前記磁気共鳴信号に基づいて、前記被検体の画像を生成する磁気共鳴イメージング装置であって、
複数の前記スキャンを、順次、時間間隔を隔てて実行するダイナミックスキャンを開始させるダイナミックスキャン開始手段と、
前記ダイナミックスキャン開始手段により開始された前記ダイナミックスキャンを中断させるダイナミックスキャン中断手段と、
前記ダイナミックスキャン中断手段により中断されたダイナミックスキャンを再開させるダイナミックスキャン再開手段と
を有する
磁気共鳴イメージング装置。
【請求項２】
前記ダイナミックスキャン中断手段は、オペレータにより入力されたダイナミックスキャンを中断する中断指令に基づいて、前記ダイナミックスキャン開始手段により開始された前記ダイナミックスキャンを中断させる
請求項１に記載の磁気共鳴イメージング装置。
【請求項３】
前記ダイナミックスキャン中断手段は、前記ダイナミックスキャンにて前記被検体をスキャンしている際に前記中断指令を受けた場合おいては、当該スキャンの実行後に前記ダイナミックスキャンを中断させる
請求項２に記載の磁気共鳴イメージング装置。
【請求項４】
前記ダイナミックスキャン再開手段は、オペレータにより入力されたダイナミックスキャンを再開する再開指令に基づいて、前記ダイナミックスキャン中断手段により中断された前記ダイナミックスキャンを再開させる
請求項１から３のいずれかに記載の磁気共鳴イメージング装置。
【請求項５】
オペレータにより入力されたスキャンを開始する開始指令に基づいて、マニュアルスキャンを開始させるマニュアルスキャン開始手段
を有し、
前記マニュアルスキャン開始手段は、前記ダイナミックスキャン中断手段により前記ダイナミックスキャンが中断された後であって前記ダイナミックスキャン再開手段により前記ダイナミックスキャンが再開される前に、前記マニュアルスキャンとして、前記ダイナミックスキャンにおいて前記ダイナミックスキャン中断手段により中断されたスキャンを開始させる
請求項１から４のいずれかに記載の磁気共鳴イメージング装置。
【請求項６】
前記ダイナミックスキャンでの前記複数のそれぞれのスキャンにおいて当該スキャンの実施前に、前記被検体へ指示を与える被検体指示手段
を有する
請求項１から５のいずれかに記載の磁気共鳴イメージング装置。
【請求項７】
前記被検体指示手段は、音声によって前記被検体へ指示を与える
請求項６に記載の磁気共鳴イメージング装置。
【請求項８】
前記被検体指示手段は、呼吸についての指示を前記被検体へ与える
請求項６または７に記載の磁気共鳴イメージング装置。
【請求項９】
前記被検体指示手段は、前記ダイナミックスキャン再開手段により前記ダイナミックスキャンが再開させる際には、前記ダイナミックスキャンにおいて前記ダイナミックスキャン中断手段により中断されたスキャンに対応するように、前記被検体へ指示を与える
請求項６から８のいずれかに記載の磁気共鳴イメージング装置。
【請求項１０】
被検体をスキャンすることにより得られたローデータに基づいて前記被検体の画像を生成する画像撮影装置であって、
複数の前記スキャンを、順次、時間間隔を隔てて実行するダイナミックスキャンを開始させるダイナミックスキャン開始手段と、
前記ダイナミックスキャン開始手段により開始された前記ダイナミックスキャンを中断させるダイナミックスキャン中断手段と、
前記ダイナミックスキャン中断手段により中断されたダイナミックスキャンを再開させるダイナミックスキャン再開手段と
を有する
画像撮影装置。
【請求項１１】
前記ダイナミックスキャン中断手段は、オペレータにより入力されたダイナミックスキャンを中断する中断指令に基づいて、前記ダイナミックスキャン開始手段により開始された前記ダイナミックスキャンを中断させる
請求項１０に記載の画像撮影装置。
【請求項１２】
前記ダイナミックスキャン中断手段は、前記ダイナミックスキャンにて前記被検体をスキャンしている際に前記中断指令を受けた場合おいては、当該スキャンの実行後に前記ダイナミックスキャンを中断させる
請求項１１に記載の画像撮影装置。
【請求項１３】
前記ダイナミックスキャン再開手段は、オペレータにより入力されたダイナミックスキャンを再開する再開指令に基づいて、前記ダイナミックスキャン中断手段により中断された前記ダイナミックスキャンを再開させる
請求項１０から１２のいずれかに記載の画像撮影装置。
【請求項１４】
オペレータにより入力されたスキャンを開始する開始指令に基づいて、マニュアルスキャンを開始させるマニュアルスキャン開始手段
を有し、
前記マニュアルスキャン開始手段は、前記ダイナミックスキャン中断手段により前記ダイナミックスキャンが中断された後であって前記ダイナミックスキャン再開手段により前記ダイナミックスキャンが再開される前に、前記マニュアルスキャンとして、前記ダイナミックスキャンにおいて前記ダイナミックスキャン中断手段により中断されたスキャンを開始させる
請求項１０から１３のいずれかに記載の画像撮影装置。
【請求項１５】
前記ダイナミックスキャンでの前記複数のそれぞれのスキャンにおいて当該スキャンの実施前に、前記被検体へ指示を与える被検体指示手段
を有する
請求項１０から１４のいずれかに記載の画像撮影装置。
【請求項１６】
前記被検体指示手段は、音声によって前記被検体へ指示を与える
請求項１５に記載の画像撮影装置。
【請求項１７】
前記被検体指示手段は、呼吸についての指示を前記被検体へ与える
請求項１５または１６に記載の画像撮影装置。
【請求項１８】
前記被検体指示手段は、前記ダイナミックスキャン再開手段により前記ダイナミックスキャンが再開させる際には、前記ダイナミックスキャンにおいて前記ダイナミックスキャン中断手段により中断されたスキャンに対応するように、前記被検体へ指示を与える
請求項１５から１７のいずれかに記載の画像撮影装置。
【発明の詳細な説明】
【技術分野】
【０００１】
本発明は、磁気共鳴イメージング装置および画像撮影装置に関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置などの被検体の内部を撮影する画像撮影装置は、医療用途、産業用途などのさまざまな分野において利用されている。
【０００３】
画像撮影装置において磁気共鳴イメージング装置は、静磁場空間内の被検体に電磁波を照射することにより、その被検体のスピンを核磁気共鳴（ＮＭＲ：Ｎｕｃｌｅａｒ  Ｍａｇｎｅｔｉｃ  Ｒｅｓｏｎａｎｃｅ）現象によって励起させるスキャンを実施する。そして、このスキャンによって励起されたスピンにより発生する磁気共鳴（ＭＲ）信号に基づいて、被検体のスライスについての画像を生成する。
【０００４】
磁気共鳴イメージング装置においては、複数のスキャンを、順次、時間間隔を隔てて実行するダイナミックスキャンが実施されている（たとえば、特許文献１参照）。
【特許文献１】特開２００２−１６５７７５号公報
【発明の開示】
【発明が解決しようとする課題】
【０００５】
ダイナミックスキャンにおいては、たとえば、時間間隔を隔てて被検体を息止め状態とし、その息止め状態の時にスキャンを実行するように、スキャンを実施するタイミングが予め設定される。そして、ダイナミックスキャンは、この予め設定したタイミングで息止め状態の際にスキャンを実施する。このため、ダイナミックスキャンは、呼吸による体動によって画像品質が低下することが防止されるため多く利用されている。
【０００６】
しかしながら、ダイナミックスキャンを実施する際においては、息止め状態を被検体が形成できない場合や、息止め状態を被検体が維持できない場合があるために、予め設定したスキャンと息止め状態とのタイミングが外れる場合がある。このような場合には、低い画像品質の画像が生成され、再度、スキャンを実施する必要がある場合があった。このため、撮影効率が低下する場合があり、操作性が低下する場合があった。
【０００７】
特に、被検体に造影剤を注入してダイナミックスキャンを実施する場合においては、被検体に造影剤を再注入することが困難な場合が多いために、撮影効率および操作性の低下の不具合が顕在化する場合があった。
【０００８】
したがって、本発明の目的は、撮影効率および操作性を向上可能な磁気共鳴イメージング装置および画像撮影装置を提供することにある。
【課題を解決するための手段】
【０００９】
上記目的の達成のために本発明の磁気共鳴イメージング装置は、静磁場空間内の被検体に電磁波を照射し、前記被検体からの磁気共鳴信号を得るスキャンを実施し、前記スキャンにより得られた前記磁気共鳴信号に基づいて、前記被検体の画像を生成する磁気共鳴イメージング装置であって、複数の前記スキャンを、順次、時間間隔を隔てて実行するダイナミックスキャンを開始させるダイナミックスキャン開始部手段と、前記ダイナミックスキャン開始部手段により開始された前記ダイナミックスキャンを中断させるダイナミックスキャン中断部手段と、前記ダイナミックスキャン中断部手段により中断されたダイナミックスキャンを再開させるダイナミックスキャン再開部手段とを有する。
【００１０】
上記目的の達成のために本発明の画像撮影装置は、被検体をスキャンすることにより得られたローデータに基づいて前記被検体の画像を生成する画像撮影装置であって、複数の前記スキャンを、順次、時間間隔を隔てて実行するダイナミックスキャンを開始させるダイナミックスキャン開始手段と、前記ダイナミックスキャン開始手段により開始された前記ダイナミックスキャンを中断させるダイナミックスキャン中断手段と、前記ダイナミックスキャン中断手段により中断されたダイナミックスキャンを再開させるダイナミックスキャン再開手段とを有する。
【発明の効果】
【００１１】
本発明によれば、撮影効率および操作性を向上可能な磁気共鳴イメージング装置および画像撮影装置を提供することができる。
【発明を実施するための最良の形態】
【００１２】
以下より、本発明にかかる実施形態の一例について図面を参照して説明する。
【００１３】
＜実施形態１＞
図１は、実施形態１の磁気共鳴イメージング装置１の構成を示す構成図である。
【００１４】
図１に示すように、磁気共鳴イメージング装置１は、静磁場マグネット部１２と、勾配コイル部１３と、ＲＦコイル部１４と、ＲＦ駆動部２２と、勾配駆動部２３と、データ収集部２４と、制御部２５と、クレードル２６と、データ処理部３１と、操作部３２と、表示部３３とを有し、撮像空間Ｂ内の被検体ＳＵに電磁波を照射して、その被検体ＳＵからの磁気共鳴信号を得るスキャンを実施し、このスキャンにより得られた磁気共鳴信号に基づいて、被検体ＳＵの画像を生成する。
【００１５】
以下より、本実施形態の磁気共鳴イメージング装置１の各構成要素について、順次、説明する。
【００１６】
静磁場マグネット部１２は、たとえば、一対の永久磁石により構成されており、被検体ＳＵが収容される撮像空間Ｂに静磁場を形成する。ここでは、静磁場マグネット部１２は、一対の永久磁石が向かい合っている鉛直方向ｚに静磁場の方向が沿うように静磁場を形成する。なお、静磁場マグネット部１２は、超伝導磁石により構成されていてもよい。
【００１７】
勾配コイル部１３は、図１に示すように、被検体ＳＵの撮像領域を囲むように撮像領域Ｂに設けられている。勾配コイル部１３は、静磁場が形成された撮像空間Ｂに勾配磁場を形成し、ＲＦコイル部１４が受信する磁気共鳴信号に位置情報を付加する。ここでは、勾配コイル部１３は、３系統からなり、撮像条件に応じて、周波数エンコード方向と位相エンコード方向とスライス選択方向とのそれぞれに勾配磁場を形成する。具体的には、勾配コイル部１３は、被検体ＳＵのスライス選択方向に勾配磁場を印加し、ＲＦコイル部１４がＲＦパルスを送信することによって励起させる被検体ＳＵのスライスを選択する。また、勾配コイル１３は、被検体ＳＵの位相エンコード方向に勾配磁場を印加し、ＲＦパルスにより励起されたスライスからの磁気共鳴信号を位相エンコードする。そして、勾配コイル部１３は、被検体ＳＵの周波数エンコード方向に勾配磁場を印加し、ＲＦパルスにより励起されたスライスからの磁気共鳴信号を周波数エンコードする。
【００１８】
ＲＦコイル部１４は、図１に示すように、被検体ＳＵの撮像領域を囲むように撮像領域Ｂに設けられている。ＲＦコイル部１４は、静磁場マグネット部１２によって静磁場が形成される撮像空間Ｂ内において、電磁波であるＲＦパルスを被検体ＳＵに送信して高周波磁場を形成し、被検体ＳＵの撮像領域におけるプロトンのスピンを励起する。そして、ＲＦコイル部１４は、その励起された被検体ＳＵ内のプロトンから発生する電磁波を磁気共鳴信号として受信する。
【００１９】
ＲＦ駆動部２２は、ＲＦコイル部１４を駆動させて撮像空間Ｂ内にＲＦパルスを送信させて高周波磁場を形成する。ＲＦ駆動部２２は、制御部２５からの制御信号に基づいて、ゲート変調器を用いてＲＦ発振器からの信号を所定のタイミングおよび所定の包絡線の信号に変調する。その後、このゲート変調器により変調された信号を、ＲＦ電力増幅器によって増幅してＲＦコイル部１４に出力し、ＲＦパルスを送信させる。
【００２０】
勾配駆動部２３は、制御部２５からの制御信号に基づいて、勾配パルスを勾配コイル部１３に印加して駆動させ、静磁場が形成されている撮像空間Ｂ内に勾配磁場を発生させる。勾配駆動部２３は、３系統の勾配コイル部１３に対応して３系統の駆動回路（図示なし）を有する。
【００２１】
データ収集部２４は、制御部２５からの制御信号に基づいて、ＲＦコイル部１４が受信する磁気共鳴信号を収集し、データ処理部３１に出力する。データ収集部２４は、位相エンコードと周波数エンコードとが施された磁気共鳴信号をｋ空間に対応するように収集する。ここでは、データ収集部２４は、ＲＦコイル部１４が受信する磁気共鳴信号をＲＦ駆動部２２のＲＦ発振器の出力を参照信号として位相検波器が位相検波する。その後、Ａ／Ｄ変換器を用いて、このアナログ信号である磁気共鳴信号をデジタル信号に変換する。そして、データ収集部２４は、この磁気共鳴信号をメモリに記憶した後に、データ処理部３１に出力する。
【００２２】
制御部２５は、コンピュータと、コンピュータを用いて所定のスキャンに対応する動作を各部に実行させるプログラムとを有する。そして、制御部２５は、操作部３２からデータ処理部３１を介して入力される操作信号に基づいて、ＲＦ駆動部２２と勾配駆動部２３とデータ収集部２４とのそれぞれに、所定のスキャンを実行させる制御信号を出力し制御を行う。
【００２３】
図２は、本発明にかかる実施形態１の磁気共鳴イメージング装置１において、制御部２５の構成を示す機能ブロック図である。
【００２４】
図２に示すように、制御部２５は、ダイナミックスキャン開始部２５１と、ダイナミックスキャン中断部２５２と、ダイナミックスキャン再開部２５３とを有する。
【００２５】
ダイナミックスキャン開始部２５１は、複数のスキャンを、順次、時間間隔を隔てて実行するダイナミックスキャンを開始させる。ここでは、オペレータにより操作部３２に入力されたダイナミックスキャンを開始する開始指令に基づいて、ダイナミックスキャン開始部２５１がダイナミックスキャンを開始させる。そして、オペレータによって操作部３２に入力された指令に基づいてデータ処理部３１が設定したダイナミックスキャンについてのスキャン条件に対応するように、ダイナミックスキャンが実行される。具体的には、ダイナミックスキャン開始部２５１は、ダイナミックスキャンにおける複数のスキャンを所定のタイミングで実施するように、ＲＦ駆動部２２と勾配駆動部２３とデータ収集部２４とのそれぞれに制御信号を出力して制御を行う。
【００２６】
ダイナミックスキャン中断部２５２は、ダイナミックスキャン開始部２５１により開始されたダイナミックスキャンを中断させる。ダイナミックスキャン中断部２５２は、オペレータにより操作部３２に入力されたダイナミックスキャンを中断する中断指令に基づいて、ダイナミックスキャン開始部２５１により開始されたダイナミックスキャンを中断させる。具体的には、ダイナミックスキャン中断部２５２は、ダイナミックスキャンを中断する中断指令が入力されたタイミングに対応するように、ＲＦ駆動部２２と勾配駆動部２３とデータ収集部２４とのそれぞれに制御信号を出力して各部の動作を停止させる。ここで、ダイナミックスキャンにて被検体ＳＵをスキャンしている際に、ダイナミックスキャンを中断させる中断指令を受けた場合においては、この中断指令の入力時にて実行されているスキャンが終了した後に、ダイナミックスキャン中断部２５２がダイナミックスキャンを中断させるように、時間を計時して各部を制御する。
【００２７】
ダイナミックスキャン再開部２５３は、ダイナミックスキャン中断部２５２により中断されたダイナミックスキャンを再開させる。ここでは、ダイナミックスキャン再開部２５３は、オペレータにより操作部３２に入力されたダイナミックスキャンを再開する再開指令に基づいて、ダイナミックスキャン中断部２５２により中断されたダイナミックスキャンを再開させる。そして、オペレータによって操作部３２に入力された指令に基づいてデータ処理部３１が設定したダイナミックスキャンについてのスキャン条件に対応するように、ダイナミックスキャンが再開される。
【００２８】
クレードル２６は、被検体ＳＵを載置する台を有する。クレードル部２６は、制御部２５からの制御信号に基づいて、撮像空間Ｂの内部と外部との間を移動する。
【００２９】
データ処理部３１は、コンピュータと、そのコンピュータを用いて所定のデータ処理を実行するプログラムとを有する。データ処理部３１は、操作部３２に接続されており、操作部３２からの操作信号が入力される。そして、データ処理部３１は、制御部２５に接続されており、オペレータによって操作部３２に入力される操作信号を制御部２５に出力する。また、データ処理部３１は、データ収集部２４に接続されており、データ収集部２４により収集された磁気共鳴信号を取得し、その取得した磁気共鳴信号に対して画像処理を行って、被検体ＳＵのスライスについての画像を生成する。たとえば、データ処理部３１は、デジタル信号に変換された磁気共鳴信号に対してフーリエ変換処理を実施して、被検体ＳＵの画像を生成する。そして、データ処理部３１は、その生成した画像を表示部３３に出力する。
【００３０】
操作部３２は、キーボードやマウスなどの操作デバイスにより構成されている。操作部３２は、オペレータによって操作され、その操作に応じた操作信号をデータ処理部３１に出力する。ここでは、撮像目的に応じた複数のパルスシーケンスでのスキャンをオペレータが選択して入力可能なように操作部３２が構成されている。
【００３１】
表示部３３は、ＣＲＴなどの表示デバイスにより構成されている。表示部３３は、被検体ＳＵからの磁気共鳴信号に基づいて生成される被検体ＳＵのスライスについての画像を表示する。
【００３２】
以下より、上記の本実施形態の磁気共鳴イメージング装置１を用いて、被検体ＳＵのスライスを撮像する際の動作について説明する。
【００３３】
図３と図４は、本実施形態において、被検体ＳＵのスライスを撮像する際の動作を説明するための図である。
【００３４】
ここで、図３は、本実施形態において、被検体ＳＵのスライスを撮像する際の動作を示すフロー図である。
【００３５】
一方、図４は、本実施形態において、被検体ＳＵのスライスを撮像する際に実施されるスキャンＳのタイムチャートであり、横軸が時間ｔを示し、縦軸がスキャンＳの実施有無（ｏｎ／ｏｆｆ）を示している。図４において、図４（ａ）は、スキャン開始前に設定されたダイナミックスキャンＤＳにて実施されるスキャンＳのタイムチャートを示し、図４（ｂ）と図４（ｃ）のそれぞれは、スキャン開始後に中断や再開がされる場合のダイナミックスキャンＤＳにて実施されるスキャンＳのタイムチャートを示している。
【００３６】
被検体ＳＵのスライスを撮像する際には、まず、クレードル２６に被検体ＳＵを載置する。そして、被検体ＳＵが載置されているクレードル２６を、静磁場が形成されている撮像空間Ｂ内に移動するように、制御部２５が制御する。
【００３７】
この後、図３に示すように、ダイナミックスキャンＤＳのスキャン条件を設定する（Ｓ１１）。
【００３８】
ここでは、オペレータにより操作部３２に入力されるスキャン条件に基づいて、データ処理部３１がスキャン条件を設定する。
【００３９】
本実施形態においては、図４（ａ）に示すように、複数のスキャンＳを、順次、時間間隔を隔てて実行するようにダイナミックスキャンＤＳのスキャン条件を設定する。つまり、スキャンＳを実施しないインターバル時間ＩＴ１，ＩＴ２，ＩＴ３，ＩＴ４と、スキャンＳを実施するスキャン時間ＳＴとが交互になるように、ダイナミックスキャンＤＳのスキャン条件を設定する。たとえば、スキャン時間ＳＴが１０秒のスキャンＳを、互いに異なるインターバル時間ＩＴ１，ＩＴ２，ＩＴ３，ＩＴ４を隔てて４回繰り返すように、ダイナミックスキャンのスキャン条件を設定する。具体的には、ダイナミックスキャン開始時点ｔ０から、１０秒のインターバル時間ＩＴ１が経過後の第１時点ｔ１の間においてはスキャンＳを実施せず、この第１時点ｔ１から１０秒のスキャン時間ＳＴが経過後の第２時点ｔ２の間においてはスキャンＳを実施するように設定する。そして、第２時点ｔ２から２０秒のインターバル時間ＩＴ２が経過後の第３時点ｔ３の間においてはスキャンＳを実施せず、この第３時点ｔ３から１０秒のスキャン時間ＳＴが経過後の第４時点ｔ４の間においてはスキャンＳを実施するように設定する。このようにして、インターバル時間ＩＴ１，ＩＴ２，ＩＴ３，ＩＴ４とスキャン時間ＳＴとを、ダイナミックスキャンＤＳでの各時点に設定する。
【００４０】
つぎに、図３に示すように、ダイナミックスキャンＤＳを開始する（Ｓ２１）。
【００４１】
ここでは、オペレータにより操作部３２に入力されたダイナミックスキャンＤＳを開始する開始指令に基づいて、ダイナミックスキャンＤＳをダイナミックスキャン開始部２５１が開始させる。そして、前述のようにして設定されたスキャン条件のダイナミックスキャンが実行される。具体的には、図４（ａ）に示すように、ダイナミックスキャン開始時点ｔ０から、１０秒のインターバル時間ＩＴ１が経過後の第１時点ｔ１の間においてはスキャンＳを実施せず、この第１時点ｔ１から１０秒のスキャン時間ＳＴが経過後の第２時点ｔ２の間においてスキャンＳを実施する。たとえば、スピンエコー法により被検体ＳＵをスキャンする。そして、このスキャンＳにより得られる被検体ＳＵからの磁気共鳴信号をＲＦコイル部１４が受信し、このＲＦコイル部１４により受信された磁気共鳴信号に基づいて、被検体ＳＵのスライスについての画像をデータ処理部３１が生成する。そして、生成された画像を表示部３３が表示する。また、このダイナミックスキャンＤＳが実施されている時には、スキャン時間ＳＴには呼吸を停止するように被検体ＳＵへ指示し、インターバル時間ＩＴ１，ＩＴ２，ＩＴ３，ＩＴ４には呼吸するように指示する。そして、被検体ＳＵの呼吸状態をオペレータがモニターする。
【００４２】
つぎに、図３に示すように、ダイナミックスキャンＤＳを中断させる（Ｙ）か、否か（Ｎ）について判断する（Ｓ３１）。
【００４３】
ここでは、ダイナミックスキャンＤＳが実施されている際にオペレータが被検体ＳＵの呼吸状態をモニターすることにより、ダイナミックスキャンＤＳの中断について判断する。
【００４４】
図３に示すように、ダイナミックスキャンＤＳを中断させない場合（Ｎ）には、そのままダイナミックスキャンＤＳを続行させる。
【００４５】
一方で、ダイナミックスキャンＤＳを中断させる場合（Ｙ）には、オペレータがダイナミックスキャンＤＳを中断する中断指令を操作部３２に入力する。たとえば、被検体ＳＵがスキャン時間ＳＴのタイミングに合わせて呼吸を停止することができないと判断される場合には、ダイナミックスキャンＤＳを中断させる中断指令を操作部３２に入力する。
【００４６】
つぎに、ダイナミックスキャンＤＳを中断させる（Ｓ４１）。
【００４７】
ここでは、オペレータにより操作部３２に入力されたダイナミックスキャンＤＳを中断する中断指令に基づいて、ダイナミックスキャン開始部２５１により開始されたダイナミックスキャンＤＳをダイナミックスキャン中断部２５２が中断させる。
【００４８】
具体的には、たとえば、第２時点ｔ２から第３時点ｔ３の間のインターバル時間ＩＴ２においてダイナミックスキャンＤＳを中断する中断指令がオペレータにより操作部３２に入力された際には、図４（ｂ），図４（ｃ）に示すように、この中断指令がオペレータにより操作部３２に入力された中断指令入力時点ｔｂｉに合わせるように、ダイナミックスキャンＤＳをダイナミックスキャン中断部２５２が中断させる。
【００４９】
また、たとえば、第３時点ｔ３から第４時点ｔ４の間のスキャン時間ＳＴにおいてダイナミックスキャンＤＳを中断させる中断指令がオペレータにより操作部３２に入力された際には、図４（ｄ）に示すように、この中断指令がオペレータにより操作部３２に入力された中断指令入力時点ｔｂｉにて実行されているスキャンＳが終了する第４時点ｔ４に合わせるように、ダイナミックスキャン中断部２５２がダイナミックスキャンＤＳを中断させる。
【００５０】
つぎに、図３に示すように、ダイナミックスキャンＤＳを再開させる（Ｙ）か、否か（Ｎ）について判断する（Ｓ５１）。
【００５１】
ここでは、ダイナミックスキャンＤＳが中断されている際にオペレータが被検体ＳＵの呼吸状態をモニターすることにより、ダイナミックスキャンＤＳの再開について判断する。
【００５２】
図３に示すように、ダイナミックスキャンＤＳを再開させない場合（Ｎ）には、ダイナミックスキャンＤＳを終了させるか（Ｙ）、否か（Ｎ）について判断する（Ｓ７１）。ここでは、ダイナミックスキャンＤＳを終了させる際（Ｙ）には、ダイナミックスキャンＤＳを終了させる指令を操作部３２に入力して、ダイナミックスキャンＤＳを中断させたままで終了させる。
【００５３】
一方、Ｓ５１においてダイナミックスキャンＤＳを再開させる場合（Ｙ）、またはＳ７１においてダイナミックスキャンＤＳを終了させずに再開させる場合（Ｎ）には、オペレータがダイナミックスキャンＤＳを再開する再開指令を操作部３２に入力する。たとえば、被検体ＳＵがスキャン時間ＳＴのタイミングに合わせて呼吸を停止することが可能と判断される場合には、ダイナミックスキャンＤＳを再開させる再開指令を操作部３２に入力する。
【００５４】
つぎに、ダイナミックスキャンＤＳを再開させる（Ｓ６１）。
【００５５】
ここでは、オペレータにより操作部３２に入力されたダイナミックスキャンＤＳを再開する再開指令に基づいて、ダイナミックスキャン中断部２５２により中断されたダイナミックスキャンＤＳをダイナミックスキャン再開部２５３が再開させる。
【００５６】
具体的には、図４（ｂ），図４（ｃ），図４（ｄ）に示すように、ダイナミックスキャンＤＳが中断された時点ｔｂｉ，ｔ４から中断時間ｔｂが経過した時に、ダイナミックスキャンＤＳを再開する再開指令がオペレータにより操作部３２に入力された際には、この再開指令がオペレータにより操作部３２に入力された再開指令入力時点ｔｒｉに合わせるように、ダイナミックスキャンＤＳをダイナミックスキャン再開部２５３が再開させる。そして、このスキャンＳにより得られる被検体ＳＵからの磁気共鳴信号をＲＦコイル部１４が受信し、このＲＦコイル部１４により受信された磁気共鳴信号に基づいて、被検体ＳＵのスライスについての画像をデータ処理部３１が順次生成し、表示部３３が表示する。そして、図３に示すように、Ｓ３１からのステップを繰り返してダイナミックスキャンＤＳを終了する。
【００５７】
詳細には、図４（ｂ）に示すように、インターバル時間ＩＴ２においてダイナミックスキャンＤＳが中断させた場合であって、そのインターバル時間ＩＴ２を経過後にダイナミックスキャンＤＳを再開する再開指令がオペレータにより操作部３２に入力された際には、その再開指令入力時点ｔｒｉに対応してスキャンＳを実施するように、ダイナミックスキャンＤＳを再開させる。また、図４（ｃ）に示すように、インターバル時間ＩＴ２においてダイナミックスキャンＤＳが中断させた場合であって、そのインターバル時間ＩＴ２を経過前にダイナミックスキャンＤＳを再開する再開指令がオペレータにより操作部３２に入力された際には、その再開指令入力時点ｔｒｉに対応するインターバル時間ＩＴ２が経過後にスキャンＳを実施するように、時間を計測して、ダイナミックスキャンＤＳを再開させる。そして、図４（ｄ）に示すように、スキャン時間ＳＴにおいてダイナミックスキャンＤＳが中断させた場合であって、そのスキャン実施後のインターバル時間ＩＴ３を経過後にダイナミックスキャンＤＳを再開する再開指令がオペレータにより操作部３２に入力された際には、その再開指令入力時点ｔｒｉに対応してスキャンＳを実施するように、ダイナミックスキャンＤＳを再開させる。
【００５８】
以上のように、本実施形態は、複数のスキャンＳを、順次、時間間隔を隔てて実行するダイナミックスキャンＤＳをダイナミックスキャン開始部２５１が開始させる。そして、このダイナミックスキャン開始部２５１により開始されたダイナミックスキャンＤＳを、オペレータにより入力されたダイナミックスキャンＤＳを中断する中断指令に基づいて、ダイナミックスキャン中断部２５２が中断させる。そして、ダイナミックスキャン中断部２５２により中断されたダイナミックスキャンＤＳを、オペレータにより入力されたダイナミックスキャンを再開する再開指令に基づいて、ダイナミックスキャン再開部２５３が再開させる。また、ここでは、ダイナミックスキャン中断部２３２は、ダイナミックスキャンＤＳにて被検体ＳＵをスキャンしている際に中断指令を受けた場合おいては、そのスキャンの実行後にダイナミックスキャンＤＳを中断させる。このため、本実施形態は、ダイナミックスキャンＤＳを実施する際に、息止め状態を被検体ＳＵが形成できない場合や、息止め状態を被検体ＳＵが維持できない場合などのように、予め設定したスキャンＳと息止め状態とのタイミングが外れる場合があっても、所望にスキャンＳのタイミングを変更することができる。したがって、本実施形態は、撮影効率および操作性を向上することができる。
【００５９】
＜実施形態２＞
以下より、本発明にかかる実施形態２の磁気共鳴イメージング装置１について説明する。
【００６０】
図５は、本発明にかかる実施形態２の磁気共鳴イメージング装置１において、制御部２５の構成を示す機能ブロック図である。
【００６１】
図５に示すように、本実施形態の磁気共鳴イメージング装置１は、実施形態１と異なり、マニュアルスキャン開始部３２４を有する。本実施形態は、この点を除き、実施形態１と同様である。このため、重複する箇所については説明を省略する。
【００６２】
マニュアルスキャン開始部２５４は、オペレータにより入力されたスキャンを開始する開始指令に基づいて、マニュアルスキャンを開始させる。そして、オペレータによって操作部３２に入力された指令に基づいてデータ処理部３１が設定したマニュアルスキャンについてのスキャン条件に対応するように、マニュアルスキャンが実行される。具体的には、マニュアルスキャン開始部２５４は、ダイナミックスキャン中断部２５２によりダイナミックスキャンが中断された後であって、ダイナミックスキャン再開部２３５によりダイナミックスキャンが再開される前に、このマニュアルスキャンとして、ダイナミックスキャンにおいてダイナミックスキャン中断部２５２により中断されたスキャンを開始させる。
【００６３】
以下より、上記の本実施形態の磁気共鳴イメージング装置１を用いて、被検体ＳＵのスライスを撮像する際の動作について説明する。
【００６４】
図６と図７は、本実施形態において、被検体ＳＵのスライスを撮像する際の動作を説明するための図である。
【００６５】
ここで、図６は、本実施形態において、被検体ＳＵのスライスを撮像する際の動作を示すフロー図である。
【００６６】
一方、図７は、本実施形態において、被検体ＳＵのスライスを撮像する際に実施されるスキャンＳのタイムチャートであり、横軸が時間ｔを示し、縦軸がスキャンの実施有無（ｏｎ／ｏｆｆ）を示している。図７において、図７（ａ）は、スキャン開始前に設定されたダイナミックスキャンＤＳにて実施されるスキャンＳのタイムチャートを示している。また、図７（ｂ）は、スキャン開始後に中断や再開がされた場合におけるダイナミックスキャンＤＳにおいて、マニュアルスキャンＭＳにて実施されるスキャンＳのタイムチャートを示している。
【００６７】
図６に示すように、まず、ダイナミックスキャンＤＳについてのスキャン条件を設定する（Ｓ１１）。
【００６８】
ここでは、オペレータにより操作部３２に入力されるスキャン条件に基づいて、データ処理部３１がスキャン条件を設定する。図７（ａ）に示すように、実施形態１と同様に、複数のスキャンＳを、順次、時間間隔を隔てて実行するようにダイナミックスキャンＤＳのスキャン条件を設定する。
【００６９】
つぎに、図６に示すように、実施形態１と同様に、ダイナミックスキャンＤＳを開始する（Ｓ２１）。そして、ダイナミックスキャンＤＳを中断させる（Ｙ）か、否か（Ｎ）について判断する（Ｓ３１）。そして、ダイナミックスキャンＤＳを中断させる場合（Ｙ）には、オペレータがダイナミックスキャンＤＳを中断する中断指令を操作部３２に入力し、ダイナミックスキャンＤＳを中断させる（Ｓ４１）。
【００７０】
つぎに、図６に示すように、マニュアルスキャンＭＳを実施させる（Ｙ）か、否か（Ｎ）について判断する（Ｓ４２）。
【００７１】
ここでは、ダイナミックスキャンＤＳが中断されている際にオペレータが被検体ＳＵの呼吸状態をモニターすることにより、マニュアルスキャンＭＳの実施について判断する。
【００７２】
図６に示すように、マニュアルスキャンＭＳを実施させない場合（Ｎ）には、ダイナミックスキャンＤＳを中断させたままで終了させる。
【００７３】
一方、マニュアルスキャンＭＳを実施させる場合（Ｙ）には、オペレータがマニュアルスキャンＭＳを開始する開始指令を操作部３２に入力する。たとえば、被検体ＳＵが呼吸を安定して停止させることが可能と判断される場合には、マニュアルスキャンＭＳを開始させる開始指令を操作部３２に入力する。そして、このオペレータにより入力されたスキャンを開始する開始指令に基づいて、マニュアルスキャンＭＳをマニュアルスキャン開始部２５４が開始させる。ここでは、ダイナミックスキャン中断部２５２によりダイナミックスキャンが中断された後であって、ダイナミックスキャン再開部２３５によりダイナミックスキャンが再開される前に、マニュアルスキャン開始部２５４が、ダイナミックスキャンにおいてダイナミックスキャン中断部２５２により中断されたスキャンを、マニュアルスキャンとして開始させる。
【００７４】
具体的には、図７（ｂ）に示すように、ダイナミックスキャンＤＳが中断された時点ｔｂｉの経過後に、マニュアルスキャンＭＳを再開する開始指令がオペレータにより操作部３２に入力された際には、この開始指令がオペレータにより操作部３２に入力された開始指令入力時点ｔｓｉに対応するように、ダイナミックスキャンＤＳにおいてダイナミックスキャン中断部２５２により中断された後に実施予定のスキャンＳの１つを、マニュアルスキャンＭＳとして、マニュアルスキャン開始部２５４が開始させる。そして、このスキャンＳにより得られる被検体ＳＵからの磁気共鳴信号をＲＦコイル部１４が受信し、このＲＦコイル部１４により受信された磁気共鳴信号に基づいて、被検体ＳＵのスライスについての画像をデータ処理部３１が順次生成し、表示部３３が表示する。
【００７５】
つぎに、図６に示すように、実施形態１と同様に、ダイナミックスキャンＤＳを再開させる（Ｙ）か、否か（Ｎ）について判断する（Ｓ５１）。そして、図６に示すように、ダイナミックスキャンＤＳを再開させない場合（Ｎ）には、ダイナミックスキャンＤＳを終了させるか（Ｙ）、否か（Ｎ）について判断する（Ｓ７１）。ここでは、ダイナミックスキャンＤＳを終了させる際（Ｙ）には、ダイナミックスキャンＤＳを終了させる指令を操作部３２に入力して、ダイナミックスキャンＤＳを中断させたままで終了させる。一方で、ダイナミックスキャンＤＳを再開させる場合（Ｙ）には、オペレータがダイナミックスキャンＤＳを再開する再開指令を操作部３２に入力する。そして、図７（ｂ）に示すように、実施形態１と同様にして、ダイナミックスキャンＤＳを再開させる（Ｓ６１）。そして、このスキャンＳにより得られる被検体ＳＵからの磁気共鳴信号をＲＦコイル部１４が受信し、このＲＦコイル部１４により受信された磁気共鳴信号に基づいて、被検体ＳＵのスライスについての画像をデータ処理部３１が順次生成し、表示部３３が表示する。
【００７６】
以上のように、本実施形態は、ダイナミックスキャン中断部２５２によりダイナミックスキャンが中断された後であって、ダイナミックスキャン再開部２３５によりダイナミックスキャンが再開される前に、マニュアルスキャン開始部２５４がマニュアルスキャンＭＳを開始する。このため、本実施形態は、実施形態１と同様に、ダイナミックスキャンＤＳを実施する際に、予め設定したスキャンＳと息止め状態とのタイミングが外れる場合があっても、所望にスキャンＳのタイミングを変更することができる。したがって、本実施形態は、撮影効率および操作性を向上することができる。
【００７７】
＜実施形態３＞
以下より、本発明にかかる実施形態３の磁気共鳴イメージング装置１について説明する。
【００７８】
図８は、本発明にかかる実施形態３の磁気共鳴イメージング装置１において、要部の構成を示す機能ブロック図である。
【００７９】
図８に示すように、本実施形態の磁気共鳴イメージング装置１は、実施形態１と異なり、被検体指示部１５を有する。本実施形態は、この点を除き、実施形態１と同様である。このため、重複する箇所については説明を省略する。
【００８０】
被検体指示部１５は、音声を発生するスピーカーと、音声データを記憶したメモリとを含み、ダイナミックスキャンでの複数のそれぞれのスキャンにおいて当該スキャンの実施前に、音声によって被検体ＳＵへ指示を与える。ここでは、被検体指示部１５は、呼吸について指示するための音声データを用いて、スピーカーから音声を被検体ＳＵへ与えて指示する。そして、本実施形態においては、被検体指示部１５は、ダイナミックスキャン再開部２５３によりダイナミックスキャンが再開させる際には、ダイナミックスキャンにおいてダイナミックスキャン中断部２５２により中断されたスキャンに対応するように、被検体ＳＵへ指示を与える。
【００８１】
以下より、上記の本実施形態の磁気共鳴イメージング装置１を用いて、被検体ＳＵのスライスを撮像する際の動作について説明する。
【００８２】
図９と図１０は、本実施形態において、被検体ＳＵのスライスを撮像する際の動作を説明するための図である。
【００８３】
ここで、図９は、本実施形態において、被検体ＳＵのスライスを撮像する際の動作を示すフロー図である。
【００８４】
一方、図１０は、本実施形態において、被検体ＳＵのスライスを撮像する際に実施されるスキャンＳと、このスキャンＳに対応して被検体ＳＵへ指示を送る音声Ｖとの実施有無（ｏｎ／ｏｆｆ）を示すタイムチャートであり、横軸が時間ｔを示し、縦軸がスキャンの実施有無または音声での指示有無を示している。図１０において、図１０（ａ）は、スキャン開始前に設定されたダイナミックスキャンＤＳにて実施されるスキャンＳと、このスキャンＳに対応して被検体ＳＵへ指示を送るように設定された音声Ｖとの実施有無（ｏｎ／ｏｆｆ）を示すタイムチャートである。一方、図１０（ｂ）は、スキャン開始後に中断や再開がされた場合におけるダイナミックスキャンＤＳと、このスキャンＳに対応して被検体ＳＵへ指示を送る音声Ｖとの実施有無（ｏｎ／ｏｆｆ）を示すタイムチャートである。
【００８５】
図９に示すように、まず、ダイナミックスキャンＤＳについてのスキャン条件を設定する（Ｓ１１）。
【００８６】
ここでは、オペレータにより操作部３２に入力されるスキャン条件に基づいて、データ処理部３１がスキャン条件を設定する。図１０（ａ）に示すように、実施形態１と同様に、複数のスキャンＳを、順次、時間間隔を隔てて実行するようにダイナミックスキャンＤＳのスキャン条件を設定する。そして、このスキャンＳに対応するように、被検体ＳＵへ指示を送る音声Ｖの音声シーケンスデータＡＶを設定する。具体的には、ダイナミックスキャンＤＳでの各スキャンＳの開始前と終了後のそれぞれにおいて音声Ｖで被検体ＳＵに指示するようにデータ処理部３１が設定する。たとえば、各スキャンＳの開始前の４秒間において、被検体ＳＵに呼吸を停止させる音声Ｖを被検体ＳＵに指示するように設定する。そして、各スキャンＳの終了後の４秒間において、被検体ＳＵに呼吸を開始させる音声Ｖを被検体ＳＵに指示するように設定する。
【００８７】
つぎに、図９に示すように、実施形態１と同様に、ダイナミックスキャンＤＳを開始する（Ｓ２１）。
【００８８】
そして、図９に示すように、音声による被検体ＳＵへの指示を開始する（Ｓ３０）。
【００８９】
ここでは、ダイナミックスキャン開始部２５１がダイナミックスキャンを実施させるために各部へ出力する制御信号を被検体指示部１５が受け、ダイナミックスキャンＤＳでの複数のそれぞれのスキャンＳにおいて、スキャンの実施前および実施後に、被検体指示部１５が音声によって被検体ＳＵへ指示を与える。前述したように、呼吸について指示するための音声データを用いて、被検体指示部１５がスピーカーから音声を被検体ＳＵへ与えて指示する。
【００９０】
具体的には、図１０（ａ）に示すように、ダイナミックスキャン開始時点ｔ０からインターバル時間ＩＴが経過後の第１時点ｔ１の間であって、第１時点ｔ１からスキャン時間ＳＴが経過後の第２時点ｔ２の間において実施されるスキャンＳの前に、音声で被検体ＳＵに指示する。たとえば、スキャンＳの開始前の４秒間において、被検体ＳＵに呼吸を停止させる指示を音声Ｖで被検体ＳＵに与える。そして、第１時点ｔ１からスキャン時間ＳＴが経過後の第２時点ｔ２の間において実施されるスキャンＳの後に、音声で被検体ＳＵに指示する。たとえば、スキャンＳの終了後の４秒間において、呼吸を開始させる指示を音声Ｖで被検体ＳＵに与える。
【００９１】
つぎに、図９に示すように、実施形態１と同様に、ダイナミックスキャンＤＳを中断させる（Ｙ）か、否か（Ｎ）について判断する（Ｓ３１）。そして、ダイナミックスキャンＤＳを中断させる場合（Ｙ）には、オペレータがダイナミックスキャンＤＳを中断する中断指令を操作部３２に入力し、ダイナミックスキャンＤＳを中断させる（Ｓ４１）。
【００９２】
たとえば、図１０（ｂ）に示すように、第２時点ｔ２から第３時点ｔ３の間のインターバル時間ＩＴ２であって、第３時点ｔ３から第４時点ｔ４の間のスキャン時間ＳＴにて実施されるスキャンＳの前の被検体ＳＵへの音声による指示の際に、ダイナミックスキャンＤＳを中断する中断指令がオペレータにより操作部３２に入力され、この中断指令がオペレータにより操作部３２に入力された中断指令入力時点ｔｂｉに合わせるように、ダイナミックスキャン中断部２５２がダイナミックスキャンＤＳを中断させる。
【００９３】
そして、音声による被検体ＳＵへの指示を中断する（Ｓ５０）。
【００９４】
ここでは、ダイナミックスキャン中断部２５２がダイナミックスキャンＤＳを中断させるために各部へ出力する制御信号を被検体指示部１５が受けて、前述のように設定された音声シーケンスデータＡＶの実施を一時停止させる。
【００９５】
つぎに、図９に示すように、実施形態１と同様に、ダイナミックスキャンＤＳを再開させる（Ｙ）か、否か（Ｎ）について判断する（Ｓ５１）。そして、図６に示すように、ダイナミックスキャンＤＳを再開させない場合（Ｎ）には、ダイナミックスキャンＤＳを終了させるか（Ｙ）、否か（Ｎ）について判断する（Ｓ７１）。そして、ここでは、ダイナミックスキャンＤＳを終了させる際（Ｙ）には、ダイナミックスキャンＤＳを終了させる指令を操作部３２に入力して、ダイナミックスキャンＤＳを中断させたままで終了させる。一方で、ダイナミックスキャンＤＳを再開させる場合（Ｙ）には、オペレータがダイナミックスキャンＤＳを再開する再開指令を操作部３２に入力する。そして、ダイナミックスキャンＤＳを再開させる（Ｓ６１）。そして、音声による被検体ＳＵへの指示を再開する（Ｓ６２）。
【００９６】
ここでは、実施形態１と同様にして、順次、ダイナミックスキャンＤＳに対応するスキャンＳを実施する。そして、このスキャンＳにより得られる被検体ＳＵからの磁気共鳴信号をＲＦコイル部１４が受信し、このＲＦコイル部１４により受信された磁気共鳴信号に基づいて、被検体ＳＵのスライスについての画像をデータ処理部３１が順次生成し、表示部３３が表示する。
【００９７】
以上のように、本実施形態は、ダイナミックスキャンＤＳでの複数のそれぞれのスキャンＳにおいて当該スキャンＳの実施前に、被検体指示部１５が被検体ＳＵへ指示を与える際において、ダイナミックスキャンＤＳを中断することができる。また、ダイナミックスキャン再開部２５３によりダイナミックスキャンＤＳが再開させる際には、ダイナミックスキャンＤＳにおいてダイナミックスキャン中断部２５２により中断されたスキャンに対応するように被検体指示部１５が被検体ＳＵへ音声で指示を与える。このため、本実施形態は、実施形態１と同様に、ダイナミックスキャンＤＳを実施する際に、予め設定したスキャンＳと息止め状態とのタイミングが外れる場合があっても、所望にスキャンＳのタイミングを変更することができる。したがって、本実施形態は、撮影効率および操作性を向上することができる。
【００９８】
なお、上記の実施形態において磁気共鳴イメージング装置１は、本発明の磁気共鳴イメージング装置および画像撮影装置に相当する。また、上記実施形態の被検体指示部１５は、本発明の被検体指示手段に相当する。上記実施形態のダイナミックスキャン開始部２５１は、本発明のダイナミックスキャン開始手段に相当する。上記実施形態のダイナミックスキャン中断部２５２は、本発明のダイナミックスキャン中断手段に相当する。上記実施形態のダイナミックスキャン再開部２５３は、本発明のダイナミックスキャン再開手段に相当する。上記実施形態のマニュアルスキャン開始部２５４は、本発明のマニュアルスキャン開始手段に相当する。
【００９９】
また、本発明の実施に際しては、上記した実施形態に限定されるものではなく、種々の変形例を採用することができる。
【０１００】
たとえば、上記の実施形態においては、磁気共鳴イメージング装置１の場合について説明したが、これに限定されない。たとえば、Ｘ線ＣＴ装置などのように、被検体ＳＵをスキャンすることにより得られたローデータに基づいて被検体ＳＵの画像を生成する画像撮影装置について適用可能である。
【図面の簡単な説明】
【０１０１】
【図１】図１は、本発明にかかる実施形態１の磁気共鳴イメージング装置１の構成を示す構成図である。
【図２】図２は、本発明にかかる実施形態１の磁気共鳴イメージング装置１において、制御部２５の構成を示す機能ブロック図である。
【図３】図３は、本発明にかかる実施形態１において、被検体ＳＵのスライスを撮像する際の動作を示すフロー図である。
【図４】図４は、本発明にかかる実施形態１において、被検体ＳＵのスライスを撮像する際に実施されるスキャンＳのタイムチャートである。
【図５】図５は、本発明にかかる実施形態２の磁気共鳴イメージング装置１において、制御部２５の構成を示す機能ブロック図である。
【図６】図６は、本発明にかかる実施形態２において、被検体ＳＵのスライスを撮像する際の動作を示すフロー図である。
【図７】図７は、本発明にかかる実施形態２において、被検体ＳＵのスライスを撮像する際に実施されるスキャンＳのタイムチャートである。
【図８】図８は、本発明にかかる実施形態３の磁気共鳴イメージング装置１において、要部の構成を示す機能ブロック図である。
【図９】図９は、本発明にかかる実施形態３において、被検体ＳＵのスライスを撮像する際の動作を示すフロー図である。
【図１０】図１０は、本発明にかかる実施形態３において、被検体ＳＵのスライスを撮像する際に実施されるスキャンＳと、このスキャンＳに対応して被検体へ指示を送る音声Ｖとの実施有無（ｏｎ／ｏｆｆ）を示すタイムチャートである。
【符号の説明】
【０１０２】
１：磁気共鳴イメージング装置（磁気共鳴イメージング装置、画像撮影装置）
１２：静磁場マグネット部、
１３：勾配コイル部、
１４：ＲＦコイル部、
１５：被検体指示部（被検体指示部）、
２２：ＲＦ駆動部、
２３：勾配駆動部、
２４：データ収集部、
２５：制御部、
２６：クレードル、
３１：データ処理部、
３２：操作部、
３３：表示部、
２５１：ダイナミックスキャン開始部（ダイナミックスキャン開始部）、
２５２：ダイナミックスキャン中断部（ダイナミックスキャン中断部）、
２５３：ダイナミックスキャン再開部（ダイナミックスキャン再開部）、
２５４：マニュアルスキャン開始部（マニュアルスキャン開始部）、
Ｂ：撮像空間
【図１】
2006325967.tif 000003
【図２】
2006325967.tif 000004
【図３】
2006325967.tif 000005
【図４】
2006325967.tif 000006
【図５】
2006325967.tif 000007
【図６】
2006325967.tif 000008
【図７】
2006325967.tif 000009
【図８】
2006325967.tif 000010
【図９】
2006325967.tif 000011
【図１０】
2006325967.tif 000012